(57)【特許請求の範囲】
【請求項１】
扁平な長板部の両端に突堤部を設けた正面形状がトラフ形のパッキンと、前記トラフ形パッキンの上面に水密に嵌合する突形のパッキンとを備えた水密扉装置において、前記トラフ形パッキンの突堤部内に閉鎖時における扉体の閉まり間隔を規制するストッパ支柱を埋設したことを特徴とする水密扉装置。
【請求項２】
ストッパ支柱の上端面の位置が突堤部の上端面よりも低く設定されていることを特徴とする請求項１記載の水密扉装置。
【請求項３】
トラフ形パッキンの長板部の長手方向に、突形パッキンの先端部が嵌合する凹溝を設けたことを特徴とする請求項１記載の水密扉装置。
【発明の詳細な説明】
【０００１】
【発明の属する技術分野】
本発明は、例えば船舶の隔壁の開口部のように、浸水の遮断が必要とされる構築物の開口部に設置されるスライド開閉の水密扉装置に関する。
【０００２】
【従来の技術】
従来より、図４に示すように、昇降するスライド扉体５０に長寸にして突形の護謨パッキン５１を設けると共に、スライド扉体５０が当接するスライド又は固定されたままのもう一方の扉体５２に前記突形の護謨パッキン５１がぴったり嵌合可能なトラフ形の護謨パッキン５３を設け、油圧シリンダーやモーターによる駆動装置（図示省略）によってスライド扉体５０ともう一方の扉体５２とを当接させるようにした構成の水密扉装置は周知であり、例えば、船舶の隔壁の開口部ように不慮の浸水や通水の遮断が必要とされる構築の開口部に設置されている。
【０００３】
この従来の水密扉装置の扉を閉鎖する時は、駆動装置が作動して位置決めセンサーの信号により水密に適当な位置にスライド扉体５０を停止させ、各扉体５０、５２のパッキン５１、５３同志を圧接させて撓ませることにより水密性を保持するようになっている。従って、圧接したときのパッキン５１、５３の撓み量は、スライド扉５０の停止位置で決まり、水密に好適なスライド扉体５０停止位置の確保は位置決めセンサーの調整と駆動装置の正確な作動に任されていた。
【０００４】
【発明が解決しようとする課題】
しかしながら、位置決めセンサーの調整不足やスライド扉体の駆動装置の誤作動、作動ブレ等により、スライド扉の停止位置が所望の位置から閉じ方向にずれて圧接すると、パッキンは必要以上に撓んで押しつぶされてしまい、圧接部の水密性やパッキンの耐久性が損なわれる心配があった。
【０００５】
水密扉装置におけるパッキンの水密能力の低下や損傷は、パッキンのメンテナンスや交換の費用が嵩むばかりでなく、不慮の浸水の拡大を招くことにもなる。
【０００６】
本発明は、上記の問題に鑑みてなされたもので、位置決めセンサーの異常や調整ミスにより駆動装置の誤作動があった場合でも、パッキンの撓み量を一定に確保することにある。
【０００７】
【課題を解決するための手段】
本発明は、扁平な長板部の両端に突堤部を設けた正面形状がトラフ形のパッキンと、前記トラフ形パッキンの上面に水密に嵌合する突形のパッキンとを備えた水密扉装置において、前記トラフ形パッキンの突堤部内にストッパ支柱を埋設し、閉鎖時における扉体の閉まり間隔をストッパ支柱によって規制し、閉鎖時のパッキンの高さを一定に維持して扉体の圧接による過剰なパッキンの撓みや潰れを防止するようにした。
【０００８】
また、ストッパ支柱の上端面の位置を突堤部の上端面よりも低く設定することにより、閉鎖時に扉体の圧接力により突堤部を一定量撓ませ、閉鎖時毎に扉体をストッパ支柱に当接させることにより、パッキンを一定の撓み量に再現できるようにした。
【０００９】
また、トラフ形パッキンの長板部の長手方向に、突形パッキンの先端部が嵌合する凹溝を設け、パッキン同志の圧接部の水密性を更に高めるようにすると良い。
【００１０】
【発明の実施の形態】
以下、本発明の水密扉装置の好適な一実施の形態を添付図面を参照しながら詳細に説明する。
【００１１】
図１乃至図３は、本発明の水密扉装置Ｓの実施の形態を示すものであり、モーターや油圧シリンダーなどの駆動装置（図示省略）によって昇降し下面に突形のパッキン２が固着された扉体１と、トラフ形のパッキン１１が固着された当接体１０とから装置の主要部分である扉部分が構成されている。この水密扉装置Ｓは主に浸水の拡大防止装置として船舶の隔壁の開口部に設置されるものである。
【００１２】
尚、水密扉装置Ｓは、扉体１が水平方向にスライドするタイプでもよく、また、当接体１０はスライド可能な扉体でも固定された扉の受体でもよい。
【００１３】
扉体１の下面の突形パッキンは、断面形状が中空の山形にして正面形状が下向きの台形に形成されており、その長さはトラフ形パッキン１１のトラフに圧接嵌合可能な寸長とされ、その高さＴはトラフ形パッキン１１のトラフの深さＨよりも高さ方向の撓み代分だけ高く設定されている。
【００１４】
また、突形パッキン２基端部の長手方向の両面には、強度補強と歪み防止の為に圧肉に形成した段部が設けられている。
【００１５】
一方、扉体１が当接する当接体１０上面のトラフ形のパッキン１１は、扁平にして長尺な長板部１２と、その両端に略台形に形成された突堤部１３とから構成され、正面形状が前後方向に開放されたトラフ形に形成されている。
【００１６】
トラフ形パッキン１１の突堤部１３には上下方向の貫通孔１４が設けられており、貫通孔１４内には金属又は硬質の合成樹脂で円柱形に形成されたストッパ支柱１５が挿入されて埋設されている。
【００１７】
埋設されたストッパ支柱１５の平坦な上端面１５ａの位置は突堤部１３の上端面１３ａよりも低く設定されて貫通孔１４の上端部に浅い窪みを形成しており、窪みの深さが突堤部１４の上下方向の撓み代となっている。
【００１８】
尚、ストッパ支柱１５は、一つの駒として貫通孔１４に埋設しても良く、また、ストッパ支柱１５を当接体１０の上面にボス状に一体に立設し、パッキンの貫通孔１４に嵌挿して埋設してもよい。
【００１９】
また、トラフ形パッキン１１の長板部１２の中央には、扉体１の突形パッキン２の先端部２ａが水密に嵌合可能な長手方向スリット状の凹溝１６が設けられており、図３に示すように、凹溝１６の上部は、突形パッキン２のＶ字角度に対応する開き角度の傾斜面１６ａを有している。
【００２０】
以上のように対向するパッキン２、１１を備えた水密扉装置Ｓを閉鎖するときは、駆動装置を作動させて扉体１を下降させ、位置決めセンサー（図示省略）の信号により当接体１０に対し所定の位置に停止させる。
【００２１】
扉体１の下降により、突形パッキン２がトラフ形パッキン１１のトラフ内に圧入すると共に、突形パッキン１１の先端部２ａがトラフ形パッキン１１の凹溝１６に水密に嵌合し、更に突形パッキン２を撓ませて扉体１の下端の両端面１ａ、１ａとトラフ形パッキン１１の突堤部１３の上端面１３ａ、１３ａとが圧接し、扉体１と当接体１０とは水密に密接する。
【００２２】
水密扉装置Ｓを閉鎖するとき、位置決めセンサーの調整不足や駆動装置の誤作動、作動ブレ等があって、スライド扉の停止位置が所望の位置よりも下方にずれることがあっても、扉体１の圧力により突堤部１３、１３が撓むと共に突堤部１３、１３内のストッパ支柱１５の上端面１５ａが扉体１の端面１ａ、１ａに当接して扉体１の閉まり間隔を規制する。従って、閉鎖時における撓み状態の上下の各パッキン２、１１は所定の高さに維持され、扉体１の過剰な圧力によるパッキン２、１１の過剰な撓みや潰れは防止される。
【００２３】
また、ストッパ支柱１５の上端面１５ａの位置は突堤部１３の上端面１３ａよりも低く設定してあるので、突堤部１３、１３は閉鎖時の扉体１の圧接によりストッパ支柱１５の上端面１５ａの位置まで一定量撓む。従って、閉鎖時には、扉体１の下端面１ａ、１ａがストッパ支柱１５の上端面１５ａに当接する迄下降させることにより、突堤部１３、１３が過剰に潰されることなく常に適正な水密状態が再現できる。
【００２４】
【発明の効果】
本発明は、以上説明したような形態で実施され、以下に記載されるような効果を奏する。
【００２５】
請求項１記載の水密扉装置によれば、トラフ形パッキンの突堤部内に埋設されたストッパ支柱によって扉体の閉まり間隔を規制するようにしたので、閉鎖時にパッキンを必要以上に撓ませてしまうことがない。従って、確実に水密状態を確保できると共に、パッキンを潰して耐久性を損なうことが無いので、メンテナンスの配慮を小さくすることができ、経済的にも有利である。
【００２６】
請求項２記載の水密扉装置によれば、ストッパ支柱の上端面の位置を突堤部の上端面よりも低く設定し、扉体が圧接すると突堤部が一定量だけ撓んで閉鎖するようにしたので、閉鎖時毎に扉体をストッパ支柱に当接させることにより、常に一定のパッキンの撓み量が再現でき、所望の水密状態を閉鎖時毎に再現することができる。
【００２７】
また、請求項３記載の水密扉装置にあっては、トラフ形パッキンの長板部の長手方向に、突形パッキンの先端が嵌合する凹溝を設け、パッキン同志をシャープに圧接するようにしたので、水密性が更に向上する。
【図面の簡単な説明】
【図１】本発明の水密扉装置の主要部を示す正面図。
【図２】図１の水密扉装置における当接体の平面図。
【図３】図１の水密装置の閉鎖状態を示す中央部位の拡大断面図。
【図４】従来例を示す断面図。
【符号の説明】
１  突形パッキン，２ａ  先端部，１１  トラフ形パッキン，１２長板部，１３  突堤部，１３ａ  上端面，１５  ストッパ支柱，１５ａ  上端面，１６  凹溝，
【図１】
0004332822.tif 000002
【図２】
0004332822.tif 000003
【図３】
0004332822.tif 000004
【図４】
0004332822.tif 000005